(57)【要約】【課題】製作コスト、輸送コスト及び保管コストが低廉であり、作動音が発生しない安全で動的な回転式構造体を提供することである。【解決手段】柱状体を備え、柱状体は、頂部が閉鎖し、柱状体の頂部に小孔が設けられ、柱状体の頂部より下の個所に、互いに等角度を隔てた３個以上の穴が設けられ、柱状体の底部に配置された送風手段と、非通気性かつ可撓性の材料製の筒状の壁で構成され、両方の端部が閉鎖した水平部材とを更に備え、水平部材の上面の中央に小孔が設けられ、水平部材の一方の側面の一方の端部に穴が設けられ、水平部材の一方の側面と対向した側面の他方の端部に穴が設けられ、水平部材の下面の中央に設けられ、柱状体の外径よりも僅かに大きな径を有する穴に、柱状体の穴を介して柱状体の内部と水平部材の内部とが連通するように柱状体の頂部を挿入して連結手段によって連結することにより組み立てられる。【選択図】　図１
2004069959.tif 000002
【特許請求の範囲】
【請求項１】
回転式構造体であって、
前記回転式構造体の柱となる柱状体と、
下面の実質的に中央に設けられた穴に前記柱状体の頂部を挿入し、上面と前記柱状体の前記頂部とを連結手段で連結することにより、前記柱状体に回転可能に連結された水平部材とを備え、
前記柱状体及び前記水平部材が非通気性かつ可撓性の材料で形成されており、
前記柱状体の内部に供給された空気が、前記柱状体の頂部の下方に設けられた穴を介して、前記水平部材の内部に流入し、流入した空気の一部が、前記水平部材の下面の前記穴と前記柱状体との間の隙間から前記水平部材の外部に流出することにより前記水平部材の前記穴と前記柱状体の外面との間に空気の膜が形成されるとともに、前記水平部材の内部の圧力が前記柱状体の内部の圧力よりも低いため前記柱状体の自立状態が確保され、流入した空気の残部が、前記水平部材の一方の側面の一方の端部に設けられた穴及び前記水平部材の前記一方の側面と対向した側面の他方の端部に設けられた穴から前記水平部材の外部に流出することにより、前記水平部材が回転するように構成されていることを特徴とする回転式構造体。
【請求項２】
回転式構造体であって、
非通気性かつ可撓性の材料で形成された円筒状の壁で構成された柱状体を備え、前記柱状体は、頂部が閉鎖し、前記柱状体の前記頂部に小孔が設けられ、前記柱状体の前記頂部より僅かに下の個所に、互いにほぼ等角度を隔てた３個以上の穴が設けられており、
前記柱状体の底部に配置され、前記柱状体内に空気を供給するための送風手段と、
非通気性かつ可撓性の材料で形成された筒状の壁で構成され、両方の端部が閉鎖した水平部材とを更に備え、前記水平部材の上面の実質的に中央に小孔が設けられ、前記水平部材の一方の側面の一方の端部に、１又は複数個の穴が設けられ、前記水平部材の前記一方の側面と対向した側面の他方の端部に、１又は複数個の穴が設けられており、
前記水平部材の下面の実質的に中央に設けられ、前記柱状体の外径よりも僅かに大きな径を有する穴に、前記柱状体の前記穴を介して前記柱状体の内部と前記水平部材の内部とが連通するように前記柱状体の前記頂部を挿入し、前記柱状体の前記頂部の前記小孔と前記水平部材の上面の前記小孔とを連結手段によって回転可能に連結することにより組み立てられることを特徴とする回転式構造体。
【請求項３】
回転式構造体であって、
非通気性かつ可撓性の材料で形成された円筒状の壁で構成された柱状体を備え、前記柱状体は、頂部が閉鎖し、前記柱状体の前記頂部に小孔が設けられており、前記柱状体の前記頂部より僅かに下の第１の個所に、互いにほぼ等角度を隔てた３個以上の第１の穴が設けられ、前記柱状体の前記第１の個所の下方の第２の個所に、互いにほぼ等角度を隔てた３個以上の第２の穴が設けられており、
前記柱状体の前記底部に配置され、前記柱状体内に空気を供給するための送風手段と、
非通気性かつ可撓性の材料で形成された筒状の壁で構成され、両方の端部が閉鎖した第１の水平部材と、
非通気性かつ可撓性の材料で形成された筒状の壁で構成され、両方の端部が閉鎖した第２の水平部材とを更に備え、
前記第１の水平部材の一方の側面の一方の端部に、１又は複数個の穴が設けられ、前記第１の水平部材の前記一方の側面と対向した側面の他方の端部に、１又は複数個の穴が設けられており、
前記第２の水平部材の一方の側面の一方の端部に、１又は複数個の穴が設けられ、前記第２の水平部材の前記一方の側面と対向した側面の他方の端部に、１又は複数個の穴が設けられており、
前記第１の水平部材の下面の実質的に中央に設けられ、前記柱状体の外径よりも僅かに大きな径を有する穴に、前記柱状体の前記第１の穴を介して前記柱状体の内部と前記第１の水平部材の内部とが連通するように前記柱状体の前記頂部を挿入し、前記柱状体の前記頂部の前記小孔と前記第１の水平部材の上面の実質的に中央に設けられた小孔とを連結手段によって回転可能に連結し、かつ、前記第２の水平部材の上面の実質的に中央の穴の周縁に取付けられた雄型リング又は雌型リングを前記柱状体の外面の前記第２の個所の僅かに上方に取付けられた雌型リング又は雄型リングに噛み合わせて前記柱状体の前記第２の穴を介して前記柱状体の内部と前記第２の水平部材の内部とを連通させることにより組み立てられることを特徴とする回転式構造体。
【請求項４】
前記材料が透光性を更に有し、前記柱状体及び／又は前記水平部材の内部に光源が配置されることを特徴とする請求項１又は２に記載の回転式構造体。
【請求項５】
前記柱状体の前記頂部が紡錘形状を有することを特徴とする請求項１から４までのいずれか１項に記載の回転式構造体。
【請求項６】
前記柱状体が、その底部から頂部に向かって直径が徐々に小さくなるように形成されていることを特徴とする請求項１から５までのいずれか１項に記載の回転式構造体。
【発明の詳細な説明】
【０００１】
【発明の属する技術分野】
本発明は、一般的に、回転式構造体に関する。より詳細には、本発明は、展示会場やイベント会場等で用いられる広告装置として利用できる回転式構造体に関する。
【０００２】
【発明が解決しようとする課題】
展示会場やイベント会場等においては、看板等の種々の広告媒体が設けられている。しかしながら、このような広告媒体の多くは、動きの殆どない静的なものであるため、来場者の注意を十分に引くものであるとは言い難い。また、広告媒体の中には、モータ等の駆動装置を利用した動的なものも見受けられるが、駆動装置を装備するとコスト高になるとともに、地震等の災害発生時に駆動装置が倒壊して来場者に被害を及ぼすおそれがあるという弊害がある。さらに、来場者の注意を引くためには広告媒体を大きくした方が好ましいが、大型の広告媒体は、小型の広告媒体と比較すると、より多くの輸送コスト及び保管コストを必要とするという課題を有する。
【０００３】
したがって、本発明は、製作コスト、輸送コスト及び保管コストが低廉であり、作動音が発生しない安全で動的な回転式構造体を提供することを目的とする。
【０００４】
【課題を解決するための手段】
本願請求項１に記載の回転式構造体は、柱となる柱状体と、下面の実質的に中央に設けられた穴に前記柱状体の頂部を挿入し、上面と前記柱状体の前記頂部とを連結手段で連結することにより、前記柱状体に回転可能に連結された水平部材とを備え、前記柱状体及び前記水平部材が非通気性かつ可撓性の材料で形成されており、前記柱状体の内部に供給された空気が、前記柱状体の頂部の下方に設けられた穴を介して、前記水平部材の内部に流入し、流入した空気の一部が、前記水平部材の下面の前記穴と前記柱状体との間の隙間から前記水平部材の外部に流出することにより前記水平部材の前記穴と前記柱状体の外面との間に空気の膜が形成されるとともに、前記水平部材の内部の圧力が前記柱状体の内部の圧力よりも低いため前記柱状体の自立状態が確保され、流入した空気の残部が、前記水平部材の一方の側面の一方の端部に設けられた穴及び前記水平部材の前記一方の側面と対向した側面の他方の端部に設けられた穴から前記水平部材の外部に流出することにより、前記水平部材が回転するように構成されていることを特徴とするものである。
【０００５】
本願請求項２に記載の回転式構造体は、非通気性かつ可撓性の材料で形成された円筒状の壁で構成された柱状体を備え、前記柱状体は、頂部が閉鎖し、前記柱状体の頂部に小孔が設けられ、前記柱状体の前記頂部より僅かに下の個所に、互いにほぼ等角度を隔てた３個以上の穴が設けられており、前記柱状体の底部に配置され、前記柱状体内に空気を供給するための送風手段と、非通気性かつ可撓性の材料で形成された筒状の壁で構成され、両方の端部が閉鎖した水平部材とを更に備え、前記水平部材の上面の実質的に中央に小孔が設けられ、前記水平部材の一方の側面の一方の端部に、１又は複数個の穴が設けられ、前記水平部材の前記一方の側面と対向した側面の他方の端部に、１又は複数個の穴が設けられており、前記水平部材の下面の実質的に中央に設けられ、前記柱状体の外径よりも僅かに大きな径を有する穴に、前記柱状体の前記穴を介して前記柱状体の内部と前記水平部材の内部とが連通するように前記柱状体の前記頂部を挿入し、前記柱状体の前記頂部の前記小孔と前記水平部材の上面の前記小孔とを連結手段によって回転可能に連結することにより組み立てられることを特徴とするものである。
【０００６】
本願請求項３に記載の回転式構造体は、非通気性かつ可撓性の材料で形成された円筒状の壁で構成された柱状体を備え、前記柱状体は、頂部が閉鎖し、前記柱状体の前記頂部に小孔が設けられており、前記柱状体の前記頂部より僅かに下の第１の個所に、互いにほぼ等角度を隔てた３個以上の第１の穴が設けられ、前記柱状体の前記第１の個所の下方の第２の個所に、互いにほぼ等角度を隔てた３個以上の第２の穴が設けられており、前記柱状体の前記底部に配置され、前記柱状体内に空気を供給するための送風手段と、非通気性かつ可撓性の材料で形成された筒状の壁で構成され、両方の端部が閉鎖した第１の水平部材と、非通気性かつ可撓性の材料で形成された筒状の壁で構成され、両方の端部が閉鎖した第２の水平部材とを更に備え、前記第１の水平部材の一方の側面の一方の端部に、１又は複数個の穴が設けられ、前記第１の水平部材の前記一方の側面と対向した側面の他方の端部に、１又は複数個の穴が設けられており、前記第２の水平部材の一方の側面の一方の端部に、１又は複数個の穴が設けられ、前記第２の水平部材の前記一方の側面と対向した側面の他方の端部に、１又は複数個の穴が設けられており、前記第１の水平部材の下面の実質的に中央に設けられ、前記柱状体の外径よりも僅かに大きな径を有する穴に、前記柱状体の前記第１の穴を介して前記柱状体の内部と前記第１の水平部材の内部とが連通するように前記柱状体の前記頂部を挿入し、前記柱状体の前記頂部の前記小孔と前記第１の水平部材の上面の実質的に中央に設けられた小孔とを連結手段によって回転可能に連結し、かつ、前記第２の水平部材の上面の実質的に中央の穴の周縁に取付けられた雄型リング又は雌型リングを前記柱状体の外面の前記第２の個所の僅かに上方に取付けられた雌型リング又は雄型リングに噛み合わせて前記柱状体の前記第２の穴を介して前記柱状体の内部と前記第２の水平部材の内部とを連通させることにより組み立てられることを特徴とするものである。
【０００７】
本願請求項４に記載の回転式構造体は、前記請求項１から３までのいずれか１項の構造体において、前記材料が透光性を更に有し、前記柱状体及び／又は前記水平部材の内部に光源が配置されることを特徴とするものである。
【０００８】
本願請求項５に記載の回転式構造体は、前記請求項１から４までのいずれか１項の構造体において、前記柱状体の前記頂部が紡錘形状を有することを特徴とするものである。
【０００９】
本願請求項６に記載の回転式構造体は、前記請求項１から５までのいずれか１項の構造体において、前記柱状体が、その底部から頂部に向かって直径が徐々に小さくなるように形成されていることを特徴とするものである。
【００１０】
【発明の実施の形態】
次に、図面を参照して、本発明の実施の形態について詳細に説明する。図１は、本発明の好ましい実施の形態に係る回転式構造体を示した斜視図、図２は、回転式構造体の分解斜視図である。図１及び図２において全体として参照符号１０で示される本発明の好ましい実施の形態に係る回転式構造体は、柱状体１２を備えている。柱状体１２は、非通気性かつ可撓性の材料で形成された円筒状の壁１２ａで構成されている。柱状体１２を形成するのに使用される非通気性かつ可撓性の材料としては、例えばポリエステル繊維があげられる。
【００１１】
柱状体１２は、底部が開放しており、開放した底部には、送風手段１４が配置され、その吐出口１４ａから柱状体１２内に空気を供給するようになっている。送風手段１４は、普通のブロワを使用してよい。
【００１２】
柱状体１２の頂部は、閉鎖しており、後述する理由のため、好ましくは、紡錘形状を有している。柱状体１２の頂部には、図２に示されるように、小孔１２ｂが設けられており、柱状体１２の頂部より僅かに下の個所には、互いに１２０°間隔を隔てた３つの穴１２ｃが設けられている。
【００１３】
柱状体１２は、回転式構造体１０の安定性を増大させるために、好ましくは、図１及び図２に示されるように、底部から頂部に向かって直径が徐々に小さくなるように形成されている。
【００１４】
回転式構造体１０は又、水平部材１６を備えている。水平部材１６は、非通気性かつ可撓性の材料で形成された筒状の壁１６ａで構成されており、水平部材１６の両方の端部は、閉鎖している。水平部材１６の上面の実質的に中央には、小孔１６ｂが設けられており、水平部材１６の下面の実質的に中央には、柱状体１２の外径よりも僅かに大きな径を有する穴１６ｃが設けられている。また、水平部材１６の一方の側面（例えば、図１において手前側の側面）の一方の端部（例えば、図１において左側の端部）に、穴１６ｄが設けられており、水平部材１６の前記一方の側面と対向した側面（図１において向こう側の側面）の他方の端部（図１において右側の端部）に、穴１６ｅが設けられている。
【００１５】
なお、水平部材１６を形成するのに使用される非通気性かつ可撓性の材料としては、柱状体１２と同様に、例えばポリエステル繊維があげられる。
【００１６】
回転式構造体１０は、柱状体１２の穴１２ｃを介して柱状体１２の内部と水平部材１６の内部とが連通するように水平部材１６の下面の穴１６ｃに柱状体１２の頂部を挿入し、図５に最も良く示されるように、柱状体１２の頂部の小孔１２ｂと水平部材１６の上面の小孔１６ｂとをボルト１８等の連結手段によって連結することによって組み立てられる。なお、水平部材１６が柱状体１２に対して回転可能となるように、ボルト１８の径は、小孔１２ｂ、１６ｂの径より小さくなるように選定される。
【００１７】
柱状体１２及び／又は水平部材１６の外面の所望の個所には、広告を表示する文字、図形等（図示せず）が描かれる。
【００１８】
次に、以上のように構成された回転式構造体１０の作動について説明する。まず、送風手段１４を作動させると、吐出口１４ａから柱状体１２内に空気が供給される。供給された空気の圧力により柱状体１２は直立状態に起立するとともに、柱状体１２内に供給された空気は上昇し、図５に示されるように、柱状体１２の頂部より僅かに下の個所に設けられた３つの穴１２ｃから水平部材１６内に流入する。水平部材１６内に流入した空気の一部は、水平部材１６の下面に設けられた穴１６ｃと柱状体１２との間の僅かな隙間から水平部材１６の外部に流出するが、この際、水平部材１６の穴１６ｃの周縁部と柱状体１２の外面との間に空気の膜が形成されるので、穴１６ｃの周縁部と柱状体１２の外面との接触が回避され、これにより、後述する水平部材１６の円滑な回転が保証されるとともに、水平部材１６の内部の圧力よりも柱状体１２の内部の圧力が高いので、可撓性材料で形成された柱状体１２が屈曲せずに自立した状態を保持することができる。一方、水平部材１６内に流入した空気の残りは、水平部材１６の両方の端部の方へそれぞれ移動して、図４に示されるように、端部の穴１６ｄ、１６ｅからそれぞれ反対方向に水平部材１６の外部に流出する。すると、柱状体１２と水平部材１６とはボルト１８による連結部の１箇所においてのみ支持されており、上述のように、水平部材１６の穴１６ｃの周縁部と柱状体１２の外面との接触もないので、水平部材１６は、図４の矢印で示される方向に回転することになる。なお、柱状体１２の頂部を紡錘形にすることにより、水平部材１６の回転時の摩擦が軽減されるので、水平部材１６をより円滑に回転させることができる。以上のようにして、送風手段１４から柱状体１２内に空気が供給される限り、水平部材１６は回転し続ける。
【００１９】
図６は、本発明の別の好ましい実施の形態に係る回転式構造体２０を示した正面図である。回転式構造体２０は、２つの水平部材２６、２７を有している点を除いて、回転式構造体１０と実質的に同一である。すなわち、回転式構造体２０は、非通気性かつ可撓性の材料で形成された円筒状の壁２２ａで構成された柱状体２２と、非通気性かつ可撓性の材料で形成された筒状の壁で構成され、両方の端部が閉鎖している第１の水平部材２６と、非通気性かつ可撓性の材料で形成された筒状の壁２７ａで構成され、両方の端部が閉鎖している第２の水平部材２７とを備えている。柱状体２２の頂部より僅かに下の第１の個所に、互いにほぼ等角度を隔てた３個の第１の穴が設けられ、柱状体２２の第１の個所の下方の第２の個所に、互いにほぼ等角度を隔てた３個の第２の穴が設けられている。そして、柱状体２２の第１の穴を介して柱状体２２の内部と第１の水平部材２６の内部とが連通するように第１の水平部材２６の下面の実質的に中央に設けられた穴に柱状体２２の頂部を挿入し、柱状体２２の頂部の小孔と第１の水平部材２６の上面の小孔とをボルト２８によって連結することによって第１の水平部材２６を柱状体２２に回転可能に取付けるとともに、第２の水平部材２７の上面の実質的に中央に設けられた穴の周縁に取付けられた雄型リング２７ｂを柱状体２２の外面に取付けられた雌型リング２２ｅに噛み合わせて柱状体２２の第２の穴２２ｄを介して柱状体２２の内部と第２の水平部材２７の内部とが連通するように第２の水平部材２７を柱状体２２に回転可能に取付けることにより、回転式構造体２０が組み立てられる。なお、第２の水平部材２７の穴の周縁に雌型リングを取付け、柱状体２２の外面に雄型リングを取付けてもよい。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
例えば、前記実施の形態においては、水平部材の両方の端部に設けられる穴がそれぞれ１つであるが、複数の穴を設けてもよい。また、柱状体の頂部より僅かに下の個所に設けられる穴が３つであるが、４つ以上の穴を設けてもよい。また、添付図面においては、水平部材は、円筒状のものとして示されているが、水平部材を角筒状に形成してもよい。また、前記実施の形態においては、柱状体１２、２２の底部が開放しているが、柱状体１２、２２の底部に送風手段１４、２４を配置することができれば、柱状体２２の底部を閉鎖してもよい。さらに、柱状体及び／又は水平部材を透光性材料で形成し、柱状体及び／又は水平部材の内部に光源（図示せず）を配置して内照式の構造体にしてもよい。
【００２２】
また、前記実施の形態では、回転式構造体が広告手段として用いられているが、回転式構造体を単なる装飾体やモニュメント等として用いてもよい。
【００２３】
【発明の効果】
本発明によれば、展示会場等の来場者の注意を引きつける動的な広告媒体を提供することができる。また、本発明の回転式構造体には、駆動手段を設ける必要がないので、災害時に駆動手段が倒壊する等の事故が発生するおそれがない。また、柱状体と水平部材が可撓性の材料で形成されており、運搬時及び保管時に折り畳んで小さくすることができるので、運搬コスト及び保管コストを低廉にすることができる。さらに、内部に光源を配置したり、広告を表示する文字等を蛍光塗料等で描くことにより、来場者の注意を一層引きつけることができる。
【図面の簡単な説明】
【図１】本発明の好ましい実施の形態に係る回転式構造体を示した斜視図である。
【図２】図１の回転式構造体の分解斜視図である。
【図３】図１の回転式構造体の正面図である。
【図４】図１の回転式構造体の平面図である。
【図５】図３の領域Ａの拡大断面図である。
【図６】本発明の別の実施の形態に係る回転式構造体の正面図である。
【図７】図６の領域Ｂの拡大断面図である。
【符号の説明】
１０、２０　回転式構造体
１２、２２　柱状体
１４、２４　送風手段
１６、２６、２７　水平部材
【図１】
2004069959.tif 000003
【図２】
2004069959.tif 000004
【図３】
2004069959.tif 000005
【図４】
2004069959.tif 000006
【図５】
2004069959.tif 000007
【図６】
2004069959.tif 000008
【図７】
2004069959.tif 000009